(57)【特許請求の範囲】
【請求項１】
プラテン上に搭載されたシートを送りローラと押さえローラとの間に挟持して、前記送りローラをＸ方向に回転させることにより、前記シートをプラテン上をＸ方向に移動させたり、筆記具又はカッタを把持したヘッド又はインクヘッドを前記プラテン上に搭載されたシート上をＹ方向に移動させたりして、前記シートに線図を描いたり、前記シートをカットしたりするプロッタであって、前記ヘッド又はインクヘッドをＹ方向に移動自在に支持するＹフレームと、前記送りローラをＸ方向に回転自在に支持するＸフレームとを持つプロッタにおいて、前記ＹフレームとＸフレームとが合体フレームの上部と下部とにそれぞれ一体に作り込まれて、その合体フレームのＹフレームとＸフレームとの間に位置する合体フレーム中途部に、前記プラテン上をＸ方向に移動させるシートを通過させるスリットが設けられ、そのスリットの下端内側面を用いて前記プラテンが形成されてなることを特徴とするＸ−Ｙプロッタ。
【請求項２】
前記合体フレームが、その横断面形状がコの字状をした枠棒状に形成されて、その上部と下部とがそれぞれＹフレームとＸフレームとに形成されると共に、そのＹフレームとＸフレームとの間の合体フレーム中途部の長手方向に、前記プラテン上をＸ方向に移動させるシートを通過させるスリットが設けられて、そのスリットの下端内側面を用いて前記プラテンが形成された請求項１記載のＸ−Ｙプロッタ。
【請求項３】
前記合体フレームが、その横断面形状が縦長の方形体をした角棒状に形成されて、その上部と下部とがそれぞれＹフレームとＸフレームとに形成されると共に、そのＹフレームとＸフレームとの間の合体フレーム中途部の長手方向に、前記プラテン上をＸ方向に移動させるシートを通過させるスリットが設けられて、そのスリットの下端内側面を用いて前記プラテンが形成された請求項１記載のＸ−Ｙプロッタ。
【請求項４】
前記合体フレームが、その横断面形状がＴ字状又はＩ字状をした枠棒状に形成されて、その上部と下部とがそれぞれＹフレームとＸフレームとに形成されると共に、そのＹフレームとＸフレームとの間の合体フレーム中途部の長手方向に、前記プラテン上をＸ方向に移動させるシートを通過させるスリットが設けられて、そのスリットの下端内側面を用いて前記プラテンが形成された請求項１記載のＸ−Ｙプロッタ。
【発明の詳細な説明】
【０００１】
【発明の属する技術分野】
本発明は、シートをプラテン上をＸ方向に移動させるペーパームービングタイプのＸ−Ｙプロッタに関する。
【０００２】
【従来の技術】
従来より、図４に示したような、ペーパームービングタイプと呼ばれるＸ−Ｙプロッタがある。
このプロッタでは、プラテン２０上に搭載されたシート１０を挟持して、そのシート１０をプラテン２０上をＸ方向に移動させる送りローラ３０と押さえローラ４０とが備えられている。送りローラ３０には、該送りローラ駆動用の駆動手段（図示せず）が連結されている。そして、その送りローラ３０と押さえローラ４０と駆動段とが、シート１０をプラテン２０上をＸ方向に移動させる第１移動手段８０を構成している。
プラテン２０上方には、筆記具又はカッタを把持したヘッド５０又はインクヘッドが、Ｙフレーム１００に作り込まれた山型レール１０２及びガイドローラ６０等からなる支持手段により、Ｙ方向に移動自在に支持されている。ヘッド５０又はインクヘッドには、該ヘッド又はインクヘッドを、プラテン２０上をＹ方向に移動させる移動手段（図示せず）が連結されている。そして、その支持手段と移動手段とが、ヘッド５０又はインクヘッドをプラテン２０上をＹ方向に移動させる第２移動手段９０を構成している。
ここで、インクヘッドとは、その下面に備えられたインクを噴射させる複数のノズル（図示せず）からドットの集まりからなる線図を描くためのインクをシートに向けて噴射させるヘッドをいう。
【０００３】
このプロッタによれば、第１移動手段８０により、シート１０をプラテン２０上をＸ方向に移動させたり、第２移動手段９０により、筆記具又はカッタを把持したヘッド５０又はインクヘッドをプラテン２０上に搭載されたシート１０上をＹ方向に移動させたりできる。そして、ヘッド５０又はインクヘッドをシート１０上をＸ−Ｙ方向に相対的に移動させて、ヘッド５０に把持した筆記具又はインクヘッドにより、シート１０表面に線図を描いたり、ヘッド５０に把持したカッタにより、シート１０をカットしたりできる。
【０００４】
このプロッタにおいては、図５に示したように、そのヘッド５０又はインクヘッドをプラテン２０上をＹ方向に移動自在に支持するＹフレーム１００と、送りローラ３０を回転自在に支持するＸフレーム１１０とが、それぞれ別個に分離させて形成されている。そして、そのＹフレーム１００とＸフレーム１１０とが、左右２枚の側板１２０、１３０を介して、所定間隔あけて上下に平行に並べて連結されている。Ｙフレーム１００及びＸフレーム１１０と側板１２０、１３０とは、止めねじ１４０により互いにその取り付け位置を微調整可能に固定されている。また、Ｙフレーム１００とＸフレーム１１０との間には、プラテン２０上に搭載されたシート１０をＸ方向に通過させるスリット３００が設けられている。
【０００５】
このＹフレーム１００とＸフレーム１１０とが側板１２０、１３０を介して連結されてなる組み合わせフレーム１５０を用いたプロッタにおいては、図４に示したように、Ｘフレーム１１０の平面状をなす上端側面が、センタープラテン２２に用られている。センタープラテン２２の前後には、円弧状をなすフロントプラテン２４とリヤプラテン２６とが配置されている。そして、そのセンタープラテン２２とフロントプラテン２４とリヤプラテン２６とにより、図４に示したような、シート１０を搭載するほぼ逆樋状をしたプラテン２０が形成されている。Ｙフレーム１００の一方の側の上端側縁と下端側縁とには、それぞれ山型レール１０２がＹ方向に一体に作り込まれていて、その山型レール１０２に、それぞれヘッド５０又はインクヘッドを支持する支持腕５２の上下に備えられたガイドローラ６０が転がり移動可能に支持されている。そして、その山型レール１０２及びガイドローラ６０を介して、ヘッド５０又はインクヘッドが、Ｙフレーム１００にＹ方向に抵抗少なく円滑に移動自在に支持されている。
【０００６】
【発明が解決しようとする課題】
しかしながら、プロッタのフレームが、上記のような、Ｙフレーム１００とＸフレーム１１０とが側板１２０、１３０を介して互いに連結された組み合わせフレーム１５０の構造をしていると、Ｙフレーム１００及び／又はＸフレーム１１０と側板１２０、１３０とを固定している止めねじ１４０が緩む等して、そのＹフレーム１００とＸフレーム１１０との平行度が狂うことが多々あった。そして、シート１０をプラテン２０上をＸ方向に正確に移動させることができなくなったり、ヘッド５０又はインクヘッドをプラテン２０上をＹ方向に正確に移動させることができなくなったりした。そして、そのために、ヘッド５０に把持した筆記具又はインクヘッドにより、シート１０表面に描く線図に歪みが生じたり、筆記具に把持したカッタによりシート１０にカットするカット線に歪みが生じたりした。
また、上記の組み合わせフレーム１５０は、Ｙフレーム１００及びＸフレーム１１０と２枚の側板１２０、１３０等から構成されていて、その部品点数が多く、その組み合わせフレーム１５０の製造及び組み立てに多大な手数と費用を要した。
【０００７】
また、Ｙフレーム１００及びＸフレーム１１０は、その全長が１メートル以上のものが多く、そのＹフレーム１００やＸフレーム１１０の中途部が上下、左右等に撓んでしまった。そして、Ｙフレーム１００に支持されたヘッド５０又はインクヘッドをＹ方向に移動させた際に、ヘッド５０に把持した筆記具のシート１０表面に対する筆圧が変動したり、ヘッド５０に把持したカッタのシート１０に対する押圧力が変動したり、シート１０に対するヘッド５０又はインクヘッドの移動方向や移動位置や移動距離が狂ったり、Ｘフレーム１１０に支持された送りローラ３０によりシート１０をプラテン２０上をＸ方向に移動させた際に、そのシート１０の移動方向や移動位置や移動距離が狂ったりした。そして、シート１０表面に描く線図に歪みが生じたり、シート１０にカットするカット線にずれや未切断箇所が生じたりした。
【０００８】
本発明は、このような課題を解消可能な、Ｘ−Ｙプロッタを提供することを目的としている。
【０００９】
【課題を解決するための手段】
上記の目的を達成するために、本発明のＸ−Ｙプロッタは、プラテン上に搭載されたシートを送りローラと押さえローラとの間に挟持して、前記送りローラをＸ方向に回転させることにより、前記シートをプラテン上をＸ方向に移動させたり、筆記具又はカッタを把持したヘッド又はインクヘッドを前記プラテン上に搭載されたシート上をＹ方向に移動させたりして、前記シートに線図を描いたり、前記シートをカットしたりするプロッタであって、
前記ヘッド又はインクヘッドをＹ方向に移動自在に支持するＹフレームと、前記送りローラをＸ方向に回転自在に支持するＸフレームとを持つプロッタにおいて、
前記ＹフレームとＸフレームとが合体フレームの上部と下部とにそれぞれ一体に作り込まれて、その合体フレームのＹフレームとＸフレームとの間に位置する合体フレーム中途部に、前記プラテン上をＸ方向に移動させるシートを通過させるスリットが設けられ、そのスリットの下端内側面を用いて前記プラテンが形成されてなることを特徴としている。
【００１０】
このＸ−Ｙプロッタにおいては、その合体フレームに、ＹフレームとＸフレームとが一体に作り込まれている。
そのため、その合体フレームのＹフレームとＸフレームとの相対的な位置関係が狂うのを確実に防ぐことができる。そして、その合体フレームに一体に作り込まれたＹフレームとＸフレームとの平行度を常に正確に精度良く保持し続けることができる。そして、Ｙフレームに支持されたヘッド又はインクヘッドをＹ方向に正確に移動させたり、Ｘフレームに支持された送りローラをＸ方向に正確に回転させたりできる。そして、筆記具を把持したヘッド又はインクヘッドをシート上をＹ方向に正確に移動させたり、プラテン上に搭載されたシートを送りローラの回転方法に当たるＸ方向に正確に移動させたりできる。そして、ヘッド又はインクヘッドをシート上をＸ−Ｙ方向に相対的に常に正確に移動させて、ヘッドに把持した筆記具又はインクヘッドにより、シート表面に歪みのない線図を美麗に描いたり、ヘッドに把持したカッタにより、シートを所定形状に歪みなく美麗にカットしたりできる。
【００１１】
また、合体フレームにＹフレームとＸフレームとが一体に作り込まれていて、その合体フレームのＹフレームやＸフレームが上下、左右等に撓むのを、そのＹフレームやＸフレームに一体に連なるＸフレームやＹフレーム及びＹフレームとＸフレームとを一体に連結している合体フレーム部分により確実に防ぐことができる。そして、その合体フレームのＹフレームに支持されたヘッド又はインクヘッドをＹ方向に移動させた際に、そのヘッドに把持した筆記具のシート表面に対する筆圧が変動したり、そのヘッドに把持したカッタのシート方向への押圧力が変動したり、そのシートに対するヘッド又はインクヘッドの移動方向や移動位置や移動距離が狂ったり、その合体フレームのＸフレームに支持された送りローラによりシートをプラテン上をＸ方向に移動させた際に、そのシートの移動方向や移動位置や移動距離が狂ったりするのを防ぐことができる。
【００１２】
また、合体フレームのＹフレームとＸフレームとの間に位置する合体フレーム部分に設けられたスリットを通して、合体フレームに邪魔されずに、シートをＸ方向に移動させることができる。
その際には、プラテンに用いられたスリットの下端内側面上にシートを支持して、そのシートをスリットを通して上下動させずにＸ方向に安定させて移動させることができる。
【００１３】
また、合体フレームが、Ｙフレーム及びＸフレームが一体に連続して作り込まれた構造をしているため、その合体フレームの部品点数を少なく抑えて、その合体フレームの製造及び組み立ての容易化とその費用の削減化とが図れる。
【００１４】
本発明のＸ−Ｙプロッタにおいては、前記合体フレームが、その横断面形状がほぼコの字状をした枠棒状に形成されて、その上部と下部とがそれぞれＹフレームとＸフレームとに形成されると共に、そのＹフレームとＸフレームとの間の合体フレーム中途部の長手方向に、前記プラテン上をＸ方向に移動させるシートを通過させるスリットが設けられて、そのスリットの下端内側面を用いて前記プラテンが形成されたり、
又は、前記合体フレームが、その横断面形状がほぼ縦長の方形体をした角棒状に形成されて、その上部と下部とがそれぞれＹフレームとＸフレームとに形成されると共に、そのＹフレームとＸフレームとの間の合体フレーム中途部の長手方向に、前記プラテン上をＸ方向に移動させるシートを通過させるスリットが設けられて、そのスリットの下端内側面を用いて前記プラテンが形成されたり、
又は、前記合体フレームが、その横断面形状がほぼＴ字状又はＩ字状をした枠棒状に形成されて、その上部と下部とがそれぞれＹフレームとＸフレームとに形成されると共に、そのＹフレームとＸフレームとの間の合体フレーム中途部の長手方向に、前記プラテン上をＸ方向に移動させるシートを通過させるスリットが設けられて、そのスリットの下端内側面を用いて前記プラテンが形成されたりした構造とすることを好適としている。
【００１５】
このＸ−Ｙプロッタにあっては、その枠棒状又は角棒状をした合体フレームの上部を、ヘッド又はインクヘッドをＹ方向に移動自在に支持するＹフレームに用いることができる。
それと共に、その枠棒状又はその角棒状をした合体フレームの下部を、送りローラをＸ方向に回転自在に支持するＸフレームに用いることができる。
また、その枠棒状又は角棒状をした合体フレーム上部のＹフレームと、その枠棒状又は角棒状をした合体フレーム下部のＸフレームとを、それらの間に介在する合体フレーム部分により一体に連結できる。そして、ＹフレームとＸフレームとが一体に作り込まれてなる合体フレームを形成できる。
【００１６】
また、そのＹフレームとＸフレームとの間の枠棒状又は角棒状の合体フレーム中途部の長手方向に、プラテン上をＸ方向に移動させるシートを通過させるスリットを、その合体フレームの上部とその下部とにそれぞれ作り込まれたＹフレームとＸフレームとに邪魔されずに、容易かつ的確に設けることができる。
それと共に、そのスリットが設けられた合体フレーム中途部の一方の側と他方の側とに、それぞれフロントプラテンとリヤプラテンとを配置することにより、スリットの上端内側面をプラテンのセンタープラテンに用いて、そのセンタープラテン上面の前後にフロントプラテン上面とリヤプラテン上面とを凹凸なく一連に連結できる。そして、シートを搭載する逆蒲鉾状等をしたプラテンを容易かつ的確に形成できる。
【００１７】
【発明の実施の形態】
次に、本発明の実施の形態を図面に従い説明する。
図１、図２又は図３は本発明のプロッタの好適な実施の形態を示し、図１、図２又は図３はその概略構造説明図である。以下に、このプロッタを説明する。
【００１８】
図１のプロッタでは、合体フレーム２００が、その横断面形状がほぼコの字状をした枠棒状に形成されている。
【００１９】
図２のプロッタでは、合体フレーム２００が、その横断面形状がほぼ縦長の方形体をした角棒状に形成されている。
【００２０】
図３のプロッタでは、合体フレーム２００が、その横断面形状がほぼＴ字状又はＩ字状（図はほぼＴ字状）をした枠棒状に形成されている。
【００２１】
合体フレーム２００は、その長手方向をヘッド５０又はインクヘッドを移動させるＹ方向に向けて配置されている。
【００２２】
合体フレーム２００のＹフレーム２１０に当たる、合体フレーム２００の上下を向く側枠２３０の上部には、ヘッド５０又はインクヘッドが合体フレーム２００のＹ方向に一体に作り込まれた山型レール２４０及びヘッド５０又はインクヘッドを支持する支持腕５２に備えられたガイドローラ６０を介してＹ方向に転がり移動自在に支持されている。
合体フレーム２００のＸフレーム２２０に当たる、合体フレーム２００の上下を向く側枠２３０の下部には、シート１０をプラテン２０上をＸ方向に移動させる送りローラ３０が、ベアリング等からなる支持手段７０を介してシート１０の移動方向に当たるＸ方向に回転自在に支持されている。
【００２３】
Ｙフレーム２１０とＸフレーム２２０との間の合体フレーム２００中途部に当たる、上下を向く側枠２３０中途部の長手方向には、プラテン２０上をＸ方向に移動させるシート１０を通過させる横長のスリット３００が設けられている。そして、そのスリット３００の平面状をなす下端内側面が、シート１０をＸ方向に向けて搭載するプラテン２０のセンタープラテン２２に用いられている。
【００２４】
センタープラテン２２の前方に当たる、合体フレーム２００の上下を向く側枠２３０の一方の側には、シート１０を搭載する断面が円弧状をしたフロントプラテン２４が配置されている。フロントプラテン２４の内端上面は、それに続くセンタープラテン２２上面に凹凸なく一連に連ねられている。
同様にして、合体フレーム２００の上下を向く側枠２３０の他方の側には、シート１０を搭載する断面が円弧状をしたリヤプラテン２６が配置されている。リヤプラテン２６の内端上面は、それに続くセンタープラテン２２上面に凹凸なく一連に連ねられている。そして、その一連に連ねられたリヤプラテン２６上面とセンタープラテン２２上面とフロントプラテン２４上面とにより、シート１０を搭載する逆樋状をしたプラテン２０が形成されている。
【００２５】
センタープラテン２２近くのフロントプラテン２４の内側には、送りローラ３０が配置されている。送りローラ３０直上のフロントプラテン２４の内端には、長孔２８がＹ方向に向けて設けられている。そして、その長孔２８を通して、送りローラ３０の上端周囲面がフロントプラテン２４上面とほぼ同一高さにフロントプラテン２４上に露出している。
【００２６】
送りローラ３０上方には、押さえローラ４０がＸ方向に回転自在に支持されている。そして、その押さえローラ４０とフロントプラテン２４上に露出した送りローラ３０の上端周囲面との間にプラテン２０上に搭載されたシート１０の中途部を挟持できるように構成されている。
【００２７】
その他は、図４に示したプロッタと同様に構成されている。
このプロッタにおいては、そのフロントプラテン２４上面とセンタープラテン２２上面とリヤプラテン２６上面とが凹凸なく一連に連ねられてなるプラテン２０上に、合体フレーム２００に設けられたスリット３００を通して、シート１０をＸ方向に向けて搭載できる。それと共に、そのプラテン２０上に搭載したシート１０の中途部をフロントプラテン２４上に露出した送りローラ３０の上端周囲面と押さえローラ４０との間に挟持できる。そして、送りローラ３０をＸ方向に回転させて、シート１０をプラテン２０上をスリット３００を通してＸ方向に移動させることができる。また、合体フレームのＹフレーム２１０にＹ方向に移動自在に支持されたヘッド５０又はインクヘッドを、プラテン２０上をＹ方向に移動させることができる。そして、ヘッド５０又はインクヘッドをシート１０に対してＸ−Ｙ方向に相対的に移動させることができる。そして、ヘッド５０に把持した筆記具又はインクヘッドにより、シート１０表面に線図を描いたり、ヘッド５０に把持したカッタにより、シート１０を所定形状にカットしたりできる。
【００２８】
この図１、図２又は図３に示したプロッタにおいては、その合体フレーム２００に、Ｙフレーム２１０とＸフレーム２２０とが一体に連続して作り込まれている。
そのため、その合体フレーム２００のＹフレーム２１０とＸフレーム２２０との相対的な位置関係が狂うのを確実に防ぐことができる。そして、その合体フレーム２００に一体に作り込まれたＹフレーム２１０とＸフレーム２２０との平行度を常に正確に精度良く保持し続けることができる。そして、合体フレームのＸフレーム２２０に支持手段７０を介して回転自在に支持された送りローラ３０を常に正確にＸ方向に回転させたり、その合体フレームのＹフレーム２１０に支持腕５２、ガイドローラ６０及び山型レール２４０を介して支持されたヘッド５０又はインクヘッドをＹ方向に狂いなく正確に移動させたりできる。そして、ヘッド５０又はインクヘッドをシート１０上をＸ−Ｙ方向に常に正確に移動させることができる。そして、ヘッド５０に把持した筆記具又はインクヘッドにより、シート１０表面に線図を歪みなく正確に描いたり、ヘッド５０に把持したカッタにより、シート１０を所定形状に歪みなく正確にカットしたりできる。
【００２９】
また、合体フレーム２００にＹフレーム２１０とＸフレーム２２０とが一体に連続して作り込まれていて、その合体フレームのＹフレーム２１０やＸフレーム２２０がその上下、左右等に撓むのを、そのＹフレーム２１０やＸフレーム２２０に連なるＸフレーム２２０やＹフレーム２１０及びＹフレーム２１０とＸフレーム２２０とを一体に連結している合体フレーム２００部分により確実に防ぐことができる。そして、そのＸフレーム２２０やＹフレーム２１０に生じた撓みのために、合体フレームのＹフレーム２１０に支持されたヘッド５０又はインクヘッドをＹ方向に移動させた際に、ヘッド５０に把持した筆記具のシート１０表面に対する筆圧が変動したり、ヘッド５０に把持したカッタのシート１０に対する押圧力が変動したり、シート１０に対するヘッド５０又はインクヘッドの移動方向や移動位置や移動距離が狂ったり、合体フレームのＸフレーム２２０に支持された送りローラ３０によりシート１０をプラテン２０上をＸ方向に移動させた際に、そのシート１０の移動方向や移動位置や移動距離が狂ったりするのを防ぐことができる。そして、シート１０表面に描く線図に歪みやかすれが生じたり、シート１０にカットするカット線に歪みや未切断箇所が生じたりするのを防ぐことができる。
【００３０】
また、合体フレームのＹフレーム２１０とＸフレーム２２０との間に位置する合体フレーム２００部分に設けられたスリット３００を通して、合体フレーム２００に邪魔されずに、シート１０をＸ方向に移動させることができる。
その際には、プラテン２０に用いられたスリット３００の下端内側面上にシート１０を支持して、そのシート１０をスリット３００を通して上下動させずにＸ方向に安定させて移動させることができる。
【００３１】
本発明のプロッタにおいては、合体フレーム２００を、それを組み込む各種のプロッタの構造及び形状に応じて、図１、図２又は図３に示した構造又は形状とは異なる構造又は形状に形成しても良い。その場合も、図１、図２又は図３に示したプロッタとほぼ同様な作用を持つプロッタを提供できる。
【００３２】
【発明の効果】
以上説明したように、本発明のＸ−Ｙプロッタによれば、ヘッド又はインクヘッドを支持するＹフレームと送りローラを支持するＸフレームとが一体に連続して作り込まれてなる合体フレームが用いられていて、その合体フレームのＹフレームとＸフレームとの平行度が狂うのを確実に防いだり、その合体フレームのＹフレームやＸフレームが上下、左右等に撓むのを確実に防いだりできる。そして、その合体フレームのＹフレームに、ヘッド又はインクヘッドをＹ方向に正確に移動自在に支持したり、その合体フレームのＸフレームに送りローラをＸ方向に正確に回転自在に支持したりできる。そして、ヘッド又はインクヘッドをシート上をＸ−Ｙ方向に相対的に常に正確に移動させて、そのシート表面に歪みのない美麗な線図を描いたり、そのシートを所定形状に常に正確に美麗にカットしたりできる。
【００３３】
また、合体フレームが、ＹフレームとＸフレームとが一体に作り込まれた構造をしていて、その合体フレームの構成部品の点数を少なく抑えることができる。そして、その合体フレームの製造及び組み立ての容易化とそのコストの大幅な削減化とが図れる。
【図面の簡単な説明】
【図１】本発明のＸ−Ｙプロッタの概略構造説明図である。
【図２】本発明のＸ−Ｙプロッタの概略構造説明図である。
【図３】本発明のＸ−Ｙプロッタの概略構造説明図である。
【図４】従来のＸ−Ｙプロッタの概略構造説明図である。
【図５】従来のプロッタの組み合わせフレームの一部省略正面図である。
【符号の説明】
１０  シート
２０  プラテン
２２  センタープラテン
２４  フロントプラテン
２６  リヤプラテン
２８  長孔
３０  送りローラ
４０  押さえローラ
５０  ヘッド
６０  ガイドローラ
７０  支持手段
１００  Ｙフレーム
１１０  Ｘフレーム
１２０、１３０  側板
１４０  止めねじ
１５０  組み合わせフレーム
２００  合体フレーム
２１０  合体フレームのＹフレーム
２２０  合体フレームのＸフレーム
２３０  合体フレームの側枠
２４０  山型レール
３００  スリット
【図１】
0004373534.tif 000002
【図２】
0004373534.tif 000003
【図３】
0004373534.tif 000004
【図４】
0004373534.tif 000005
【図５】
0004373534.tif 000006